(57)【要約】【課題】音質調整にはサクソホーン等の管楽器は１年以上も何回も吹き鳴らし“ならし”をする必要があるため、一般の購入者がなかなかこの“ならし”を簡単に遂行することができず、延いてはサクソホーン等の管楽器の演奏の上達に時間がかかると言う問題があった。【解決手段】金属製管楽器を、金属成形体の背面に超音波振動子を付してなる超音波振動付与体の表面側に接触させて、周波数１０〜６０ＫＨｚの超音波振動を与えて、該金属製管楽器の音質を改善することを特徴とする金属製管楽器の音質改善方法である。【選択図】図１
2009020128.tif 000002
【特許請求の範囲】
【請求項１】
金属製管楽器を、金属成形体の背面に超音波振動子を付してなる超音波振動付与体の表面側に接触させて、周波数１０〜６０ＫＨｚの超音波振動を与えて、該金属製管楽器の音質を改善することを特徴とする金属製管楽器の音質改善方法。
【請求項２】
超音波振動付与体を構成する金属成形体がボール状であって、金属製管楽器の先端部若しくは、径の大きい屈曲部を該ボール状の金属成形体の内面に接触させ、適宜接触位置を変更しながら超音波振動を与えることを特徴とする請求項１に記載の金属製管楽器の音質改善方法。
【請求項３】
超音波振動付与体を構成する金属成形体がテープ状であって、該テープ状金属成形体を少なくとも金属管楽器の比較的径の大きい箇所に巻き付けて超音波振動を与えることを特徴とする請求項１に記載の金属製管楽器の音質改善方法。
【請求項４】
超音波振動付与体を構成する金属成形体がＵ字状成形体であって、該Ｕ字状成形体に金属管楽器を載置して超音波振動を与えることを特徴とする請求項１に記載の金属製管楽器の音質改善方法。
【請求項５】
金属製管楽器と、超音波振動付与体を構成する金属成形体の接触部分の接触空間に、金属繊維若しくは金属切片を介在充填したことを特徴とする請求項１、２、３若しくは４のいずれかに記載の金属製管楽器の音質改善方法。
【発明の詳細な説明】
【技術分野】
【０００１】
本発明は、主としてサクソホーン、フルート、ピッコロ、クラリネット、トランペット、コルネット、トロンボーン、フレンチホルン等の金属製管楽器の音質改善方法に関するものである。
【背景技術】
【０００２】
金属製管楽器は製造から長期間の演奏を経ることにより、滑らかな音質で演奏できることが知られている。その理由はあきらかで無く、明確な説明は今日までなされていないのが現状である。
【０００３】
しかしながら、楽器演奏者にとっては、楽器の音色が生命であり、少しでも良い音がし、又、少しでも短時間に音質が改善できることが切実な願望である。
従来は、このような楽器の殆どが薄い銅系合金板例えば薄い真鍮板を所定の形状に切り抜き、縦方向の端縁を接合し、所定のキーメカニズムを付加などして製造されているが、成形時の歪みが残ることころから、音質調整すなわち、いわゆる“ならし”をする必要があり、従来はこの“ならし”は何回も吹き鳴らすことにより次第に調和した音がでるようにしてならしていた。
【０００４】
なお、サクソホーンの正確なオクターブバランスを取るための構造についての特許はあるが、音質調整用を構造や超音波振動子を用いたものは知られていない。
また、音質改善については管楽器を製造段階で、氷点下２０℃以下に冷却することで音質を改善することが知られているに過ぎない。
【０００５】
【特許文献１】特公平６−６４４５６号公報
【特許文献２】特許第３５２２２３４号公報
【発明の開示】
【発明が解決しようとする課題】
【０００６】
解決しようとする問題点は、前記したように音質調整には管楽器を何回も吹き鳴らし“ならし”をする必要があるため、一般の購入者がなかなかこの“ならし”を簡単に遂行することができず、延いては管楽器の演奏の上達に時間がかかると言う問題があった。
また、氷点下２０℃以下に冷却する提案は製造者の段階でなければ、このような低温を得られないこと、及びサクソホーン等大型の楽器を入れて処理できる冷蔵庫は一般家庭では準備できないことから、その実施は限られたものであり、大部分は、従来のように“ならし”がなされていないものが市販されているのが現状である。
【課題を解決するための手段】
【０００７】
上記問題点を種々検討の結果、超音波によって、金属製管楽器の“ならし”効果を促進できるという知見を得、本発明に至ったものである。すなわち、金属製管楽器を、金属成形体の背面に超音波振動子を付してなる超音波振動付与体の表面側に接触させて、周波数１０〜６０ＫＨｚ好ましくは３８〜４２ＫＨｚの超音波振動を与えて、該金属製管楽器の音質を改善することを特徴とする金属製管楽器の音質改善方法（請求項１）であり、
超音波振動付与体を構成する金属体成形体がボール状であって、金属製管楽器の先端部若しくは、径の大きい屈曲部を該ボール状の内面に接触させ、適宜接触位置を変更しながら超音波振動を与えることを特徴とする請求項１に記載の金属製管楽器の音質改善方法（請求項２）であり、
超音波振動付与体を構成する金属成形体がテープ状であって、該テープ状金属成形体を少なくとも金属管楽器の比較的径の大きい箇所に巻き付けて超音波振動を与えることを特徴とする請求項１に記載の金属製管楽器の音質改善方法（請求項３）であり、
超音波振動付与体を構成する金属成形体がＵ字状成形体であって、該Ｕ字状成形体に金属管楽器を載置して超音波振動を与えることを特徴とする請求項１に記載の金属製管楽器の音質改善方法（請求項４）であり、
金属製管楽器と、超音波振動付与体を構成する金属成形体の接触部分の接触空間に、金属繊維若しくは金属切片を介在充填したことを特徴とする請求項１、２、３若しくは４のいずれかに記載の金属製管楽器の音質改善方法（請求項５）である。
【発明の効果】
【０００８】
本発明の音質改善方法により、全ての金属製管楽器の内部応力、外部応力によるストレスが、形状にあった内部応力に安定し、均一に成ることにより音質が改善するものと思われ、換言すれば管楽器の歪みが比較的短時間に解消され、音質を調和させることができるので、例えばサクソホーンについていえば、購入後当初はぎこちない音質で演奏していてもこの不自然な音質の楽器を１日１時間１年間にわたり、吹奏を繰り返した場合かなりのならし効果がでることが知られているが、本発明によれば、１日２４時間で５日間（超音波振動付与時間計１２０時間経過）でならし効果が出始め、１０日目（超音波振動付与時間計２４０時間経過）では明らかに音質がマイルドになったことが確認された。また、トランペットについても１日１時間で、１０ヶ月にわたり、吹奏を繰り返した場合かなりのならし効果がでることが知られているが、本発明によれば、１日２４時間で４日間（超音波振動付与時間計９６時間経過）でならし効果が出始め、８日間（超音波振動付与時間計１９２時間経過）では明らかに音質がマイルドになったことが確認された。一日なお、この効果は他の管楽器にも行い同様な効果が確認された。
なお、１０〜６０ＫＨｚの超音波を選択する理由は、略常温で処理できるので、楽器を損傷する恐れが無いが、超音波衝撃処理など素材に高温を付与する超音波処理では、ハンダ付けが剥がれ、楽器を破損するので好ましくない。
【発明を実施するための最良の形態】
【０００９】
図１は本発明の音質改善方法をサクソホーンに適用した場合の実施状態の１例を示す斜視図である。
図において、台８にアルトサクソホーン１の中間を支持する支持枕９と該サクソホーン１のラッパ状拡径部の屈曲先端部２を突き当てておくことのできるボール状の金属成形体３の背面に超音波振動子（仮想線で示してある）を付してなる超音波振動付与体５を配設しており、周波数１０〜６０ＫＨｚ好ましくは３８〜４２ＫＨｚの超音波振動を与えて、音質のならし効果を得るようになっている。
なお、該サクソホーン１のラッパ状拡径部の屈曲先端部２と金属製のボール状の金属成形体２の内面とで構成される空間には、金属繊維若しくは金属切片７を充填することにより超音波振動をより有効に、サクソホーン１に伝えることができるので、ならし効果を高めることができる。
【００１０】
図２は本発明の音質改善方法をサクソホーンに適用した場合の他の１例を示す斜視図である。
サクソホーン１のラッパ状拡径部の屈曲先端部２の周囲に適宜に、テープ状の金属成形体６の背面に超音波振動子４（仮想線で示してある）を付してなる超音波振動付与体５を配設しており、周波数１０〜６０ＫＨｚ好ましくは３８〜４２ＫＨｚの超音波振動を与えて、音質のならし効果を得るようになっている。
この場合テープ状の金属成形体６の背面に超音波振動子４（仮想線で示してある）を付してなる超音波振動付与体５は適宜の数を必要な箇所に巻き付けて設けるが、テープの端末は適宜に手段でクリップするか、折り曲げて輪状にして引きとめても良い、なお、長い物を螺旋状に巻き付けても良いことは勿論である。
なお、説明上の便宜からテープ状の金属成形体６は黒で表されている。
【００１１】
図３は本発明の音質改善方法をトランペットに適用した場合の１例を示す斜視図である。
トランペット１１のラッパ状部を、架台１３のバーの頂部に背面に超音波振動子４を付したＵ字状金属成形体１２からなる超音波振動付与体５を配設しており、周波数１０〜６０ＫＨｚ好ましくは３８〜４２ＫＨｚの超音波振動を与えて、音質のならし効果を得るようになっている。
なお、説明上の便宜からＵ字状金属成形体１２は黒で表されている。
【００１２】
図４は本発明の音質改善方法をトランペットに適用した場合の更に他の１例を示す斜視図である。
トランペット１１のラッパ状部を、架台１６の一対の側壁の頂部１５、１５間に吊るされたワイヤや糸などのＶ字状線条体１４に、掛け渡して吊るすように配設した状態に構成しており、該Ｖ字状線条体１４の底部では、背面に超音波振動子４を付したＵ字状金属成形体１２からなる超音波振動付与体５を被せるか添わせて設けている。
このように構成した後、周波数１０〜６０ＫＨｚ好ましくは３８〜４２ＫＨｚの超音波振動を与えて、音質のならし効果を得るようになっている。
なお、説明上の便宜からＵ字状金属成形体１２は黒で表されている。
また、頂部支持点１５は、ワイヤや糸などのＶ字状線条体１４の端部を固定しやすいように突起を設けて置くと良い。
【実施例】
【００１３】
実施例１
所定の形状に成形され、キーポストやカップなどが取り付けられたサクソホーンを、図１に示す状態にしてボール状の金属成形体の中に大径の屈曲部を入れて、３８〜４２ＫＨｚの超音波振動を与えながら接触部を毎日接触位置をずらせるようにした。
このような処理を一日２４時間、１０日間行ったところ、このような処理をする前のサクソホーンとは明らかに音色が異なり、奏者に心地よい吹奏感を与えたものとなった。
このような効果は、一日１時間１年間吹き鳴らした場合と概ね同じ音色で、違和感が無かった。
【００１４】
実施例２
所定の形状に成形され、キーポストやカップなどが取り付けられたサクソホーンを、図２に示す状態にして３８〜４２ＫＨｚの超音波振動を与えた。このような処理を一日２４時間、１０日間行ったところ、このような処理をする前のサクソホーンとは明らかに音色が異なり、奏者に心地よい吹奏感を与えたものとなった。
このような効果は、一日１時間１年間吹き鳴らした場合と概ね同じ音色で、違和感が無かった。
【００１５】
実施例３
所定の形状に成形されバルブなどが取り付けられたトランペットを、図３に示す状態にして３８〜４２ＫＨｚの超音波振動を与えた。このような処理を一日２４時間、８日間行ったところ、このような処理をする前のトランペットとは明らかに音色が異なり、奏者に心地よい吹奏感を与えたものとなった。
このものと、このような処理をする前のトランペットとは明らかに音色が異なり、奏者に心地よい吹奏感を与えたものとなった。
このような効果は、一日１時間１年間吹き鳴らした場合と概ね同じ音色で、違和感が無かった。
った。
【００１６】
実施例４
所定の形状に成形されバルブなどが取り付けられたトランペットを、図４に示す状態にして３８〜４２ＫＨｚの超音波振動を与えた。このような処理を一日２４時間、８日間行ったところ、このような処理をする前のトランペットとは明らかに音色が異なり、奏者に心地よい吹奏感を与えたものとなった。
このものと、このような処理をする前のトランペットとは明らかに音色が異なり、奏者に心地よい吹奏感を与えたものとなった。
このような効果は、一日１時間１０ヶ月間吹き鳴らした場合と概ね同じ音色で、違和感が無かった。
【００１７】
なお、上記テストは、管楽器の吹奏経歴１０年以上の人を奏者とし、その５人により行われたがいずれも同様な結果が報告され、有意差は出なかった。
所感は、「音質がマイルドになった」「音質の角がとれた」「音色に変化をつけやすくなり、硬さがとれ、柔らかくなった」「吹きやすくなった」「フレイジングが演奏しやすくなった」とのことであった。また、その効果は楽器によっても若干ことなるが、１２０時間程度で現われ始め、２４０時間もすれば明らかな音質改良が確認されるというものである。
【産業上の利用可能性】
【００１８】
本発明によれば、サクソホーンやトランペット、フルート等の管楽器を比較的短時間で、音質調整することができるので、実際の演奏の練習に直ちに入れる効果がある。
【図面の簡単な説明】
【００１９】
【図１】本発明の音質改善方法をサクソホーンに適用した場合の実施状態の１例を示す斜視図である。
【図２】本発明の音質改善方法をサクソホーンに適用した場合の実施状態の他の１例を示す斜視図である。
【図３】本発明の音質改善方法をトランペットに適用した場合の実施状態の１例を示す斜視図である。
【図４】本発明の音質改善方法をトランペットに適用した場合の実施状態の他の１例を示す斜視図である。
【符号の説明】
【００２０】
１    サクソホーン
２    屈曲先端部
３    ボール状の金属成形体
４    超音波振動子
５    超音波振動付与体
６    テープ状の金属成形体
７    金属繊維若しくは金属切片
８    台
９    支持枕
１１  トランペット
１２  Ｕ字状金属成形体
１３  支持台
１４  線条体
１５  架台の頂部支持点
１６  架台
【図１】
2009020128.tif 000003
【図２】
2009020128.tif 000004
【図３】
2009020128.tif 000005
【図４】
2009020128.tif 000006